(57)【要約】【課題】強制同時給排気による浴室用換気乾燥機を提供すること。【解決手段】実質的に直六面体を構成する浴室内の天井又は壁に取り付ける送風用貫流ファンと温風用ヒータを備えた浴室空調装置であり、前記送風用貫流ファンにより前記浴室内に平行気流を発生させることで、前記浴室空調装置が取り付けられた壁面の左右双方の壁面及び天井面近傍の空気を前記平行気流に引き寄せて送風し、前記浴室壁面に沿って対流を生じさせ均等な送風を行う。浴室空調装置には排気ファンを一体に設けて対流する気流の一部を室外に排除し、乾燥効果を高める。【選択図】図８
2006194521.tif 000002
【特許請求の範囲】
【請求項１】
実質的に直六面体を構成する浴室内の天井又は壁に取り付ける送風用貫流ファンと温風用ヒータを備えた浴室空調装置であって、前記送風用貫流ファンにより前記浴室内に平行気流を発生させることで、前記浴室空調装置が取り付けられた壁面の左右双方の壁面及び天井面近傍の空気を前記平行気流に引き寄せて送風し、前記浴室全体に均等な送風を行う浴室空調装置。
【請求項２】
前記浴室空調装置の内部に送風方向を変えるダンパーを備えた請求項１に記載の浴室空調装置。
【請求項３】
前記浴室空調装置の内部に換気、乾燥及び涼風供給を行うときに連動する換気ファンを備えた請求項１又は２に記載の浴室空調装置。
【請求項４】
前記浴室空調装置の内部に換気、乾燥及び涼風供給を行うときに連動させる換気装置の連動出力端子を備えた請求項１〜３のいずれか１項に記載の浴室空調装置。
【請求項５】
前記浴室空調装置の内部に照明を備えた請求項１〜４のいずれか１項に記載の浴室空調装置。
【発明の詳細な説明】
【技術分野】
【０００１】
本発明は、浴室内の天井又は壁に取り付ける浴室空調装置に関する。
【背景技術】
【０００２】
従来の浴室空調装置が有する機能としては、温風を送風して浴室を暖める暖房機能、浴室内の湿氣を帯びた空気を屋外に排出して浴室内を乾燥させる換気機能、温風を送風しつつ換気を行い浴室内に干した衣類を乾燥させる乾燥機能、浴室内の空気を送風しつつ換気して涼風感を得る涼風機能などが挙げられる。
【０００３】
また上記浴室空調装置は、装置が簡便なシロッコファンを用いてるために吹出口の面積が狭く、浴室内へ広く送風するために、ルーバーや可動の吹出口を備えて対処している。シロッコファンは小型でも送風能力は大きく、浴室内の適宜箇所に空気の取入口を設ければ、新鮮な空気と換気するのには十分であると考えられる。
【０００４】
しかしながら、比較的小さな吹出口から強く送風を行っても吹出口周辺の空気は滞留する傾向にあり、ルーバーを備えたものは送風した空気が拡散して吹出口から離れた位置まで送風できないため、浴室内の空気を満遍なく排出することはできない。これらの理由から上述した空調装置の各機能には次のような問題点が生じる。
【０００５】
暖房機能運転は浴室内の位置による温度分布のばらつきが大きく浴室全体が均等に暖まらない。
【０００６】
乾燥機能運転は温風の当たる位置に水分を多く含む洗濯物を干したり、均等に温風があたるように洗濯物の干す位置を入れ替えるなどの工夫をしなければ洗濯物が均等に乾燥しない。
【０００７】
涼風機能運転は入浴者自身が送風される位置に移動しなければ涼風効果を得ることができない。
【０００８】
換気機能運転は、浴室内に送風しつつ換気する機能を併せもつものがあり、浴室内に送風することで浴室内の空気を撹拌し、より効果的に空気に湿氣を含ませて屋外に排出することができるようになっている。しかしながら送風口が小さいため送風方向を可変型として空気を撹拌するため、結露水が付着した浴室内の天井面や壁面に送風して空気を当てた部分と当たらない部分には、結露水を取り除く効果にばらつきが生じている。
【０００９】
本願発明に係る先行技術としては、次の特許文献が挙げられる。
【特許文献１】特開平９−２５３３９５号公報
【特許文献１】特開２０００−３４６３９７号公報
【特許文献２】特開２０００−３４６４２９号公報
【発明の開示】
【発明が解決しようとする課題】
【００１０】
解決しようとする問題点は、従来の技術が幅広い送風を行うことができないため、浴室内の天井や壁面に沿って対流する気流を生じさせることができない点である。
【課題を解決するための手段】
【００１１】
本発明の浴室空調装置は、実質的に直六面体を構成する浴室内の天井又は壁に取り付ける送風用貫流ファンと温風用ヒータを備えた浴室空調装置であって、前記送風用貫流ファンにより前記浴室内に平行気流を発生させることで、前記浴室空調装置が取り付けられた壁面の左右双方の壁面及び天井面近傍の空気を前記平行気流に引き寄せて送風し、前記浴室全体に均等な送風を行うことを特徴としており、平行気流は本装置の送風口の形状に準じた幅と厚さを有する気流となって浴室内を天井面、壁面、床面に沿うように対流し再び本装置に環流する。送風には温風、涼風、外気を取込んだ新鮮な風が用いられる。
【００１２】
請求項２の発明は、前記浴室空調装置の内部に送風方向を変えるダンパーを備えたことを特徴としており、幅広に送風される平行気流の方向を連続的に変化させることで、特に乾燥機能運転に置いては温風を洗濯物に満遍なく供給することができるので、水分を蒸発させる効果が大きくなる。また涼風機能運転の場合は入浴者を扇ぐような平行気流が供給され、体が絶えず涼風に当たらないようにして涼感を与えることができる。
【００１３】
請求項３の発明は、前記浴室空調装置の内部に換気、乾燥及び涼風供給を行うときに連動する換気ファンを備えたことを特徴としており、浴室内で蒸発した水蒸気を室外に放出するようにし、蒸気が飽和しないようにして濡れた部分の水分蒸発を促進させる。
【００１４】
請求項４の発明は、前記浴室空調装置の内部に換気、乾燥及び涼風供給を行うときに連動させる換気装置の連動出力端子を備えたことを特徴としており、既存の換気装置がある場合に、これの動力電線を接続することで送風と換気を同じ操作盤で制御することができる。
【００１５】
請求項５の発明は、前記浴室空調装置の内部に照明を備えたことを特徴としており、一般的に浴室には所定の照明が設置されているが、入浴する人の好みに応じて別の特徴を有する照明を提供するものである。例えば光源に複数の発光ダイオードを使用して発光色の異なる光源を組み合わせたり点滅させることで浴室内の雰囲気の変化を演出できる。
【発明の効果】
【００１６】
本発明の浴室空調装置は幅広い送風を行うことで、各運転機能において下記の効果が得られる。貫流ファンはその構造上羽根車の長さを変更するだけで送風の幅が変更でき平行気流に何等影響を及ぼさない利点があり、浴室の広さに合わせて最適の貫流ファンを備えた浴室空調装置が提供できる。
１．暖房運転機では浴室内の位置による温度分布の差が少ない。
２．乾燥機能運転では洗濯物を干す位置に関わらず乾燥させることができる。
３．涼風機能運転では入浴者が浴室内のどの位置にいても冷風効果が得られる。
４．換気機能運転ではより効果的に浴室内の空気を撹拌でき、結露水が付着した浴室内の天井面や壁面からより広範囲で結露水を取り除くことができる。
【発明を実施するための最良の形態】
【００１７】
本発明の浴室空調装置は、送風用に貫流ファンを用いて浴室の幅に相当する長さの平行気流を浴室内に供給し、浴室内全体の空気に乱気流を起こさずに対流させることでほぼ均一な温度分布と気流が得られるように成し、暖房、乾燥、涼風などの各運転機能を向上させる。
【実施例１】
【００１８】
図を参照して、本発明の一実施例を説明する。図１は、浴室空調装置１を示す斜視図であり、一部を破断面で示している。２は貫流ファンであり、羽根車３とファンカバー４及びスタビライザー５で貫流ファンを構成している。６ａは貫流ファンの片方の仕切板であり、羽根車３を回転させるモータ７が取り付けられる。６ｂは貫流ファンの他の側の仕切板である。８は制御板であり操作盤（図示せず）からの指令に基づき、モーターの回転数の他に後述する諸機構の電気的制御を行う。これらの各部を函体９で覆い、函体には貫流ファンの送風側に送風口１０及び吸込側に吸込口１１が開口されている。３１は放熱フィンを備えた電熱ヒータであり、貫流ファンの送風経路内に設置され、送風気流を暖めて温風が吹出すようになっている。
【００１９】
図２は、羽根車３の回転軸３ａに直交する面の断面図であり、貫流ファン２に於ける羽根車３、ファンカバー４、スタビライザー５、函体９及び電熱ヒータ３１に位置関係を明確に示すと共に、函体に開口する送風口１０と送風の方向及び吸込口１１の空気の流れを示す。
【００２０】
図３は、直六面体の浴室１２の室内に送風した空気の流れを矢印で示す斜視説明図である。浴室内の空気は浴室空調装置１の吸込口１１から入り、貫流ファンを介して送風口１０から平行気流１３として水平方向に送風される。平行気流１３は模式的には送風口の形状に沿って帯状に流出する。温風は放熱用のフィンを備えた電熱ヒータ３１を介して送風される。水平方向に送風された平行気流は、浴室空調装置が設置された壁面の正面に位置する壁面に達し、該壁面に沿って降下し、床面を伝って浴槽１４を越え浴室空調装置の吸込口１１に環流する。上述した帯状の速い空気の流れにより、浴室天井部分の水蒸気を含んだ空気は矢印１５で示すように平行気流１３に引き寄せられ、また浴室空調装置１の左右の壁面近傍の水蒸気を含んだ空気も矢印１６で示されるように平行気流１３に引き込まれる。左右の壁の中央部の空気は天井側又は床側の空気が移動するのこれに追随して上下いずれかの方向に移動する。このようにして浴室内の空気は帯状に流れる平行気流で包まれた状態となる。これが本発明の基本的な構成である。水蒸気を含んだ空気が滞留することなく移動するので結露が生じず滴が溜まらない。
【実施例２】
【００２１】
図２に示した浴室空調装置１にダンパー１７を加えた構成の浴室空調装置１ａを図４に示す。ダンパーは軸１７ａで軸支され吹出孔１０ｂ内で回動可能である。ダンパーの回動に伴い送風方向が変化するので、送風口１０ａの開口面積を大きく取っている。ダンパーが水平位置の場合は、図２に示す浴室空調装置と同じ形状であり、送風される気流は図３に示すものと同じ平行気流１３である。
【００２２】
図５は、前記ダンパーが回動し、水平方向の吹出孔１０ｂを塞ぐようにした場合の断面を示す。送風方向は斜め下方に吹出されその時の平行気流を図６に示す。ダンパーの軸１７ａをモータ（図示せず）で駆動し、ダンパーを水平位置と吹出孔１０ｂの水平方向を塞ぐような位置の間を揺動させると送風方向が逐次変わり浴室内を扇ぐような平行気流が送風される。涼風機能運転の場合に入浴者の全身に涼風を送ることができる。
【実施例３】
【００２３】
本発明の浴室内空調装置について、送風方向が水平な場合の浴室内の風速分布を調査した。図７（ａ）図の浴室内の広さは床が１２０ｃｍ×１６０ｃｍ、高さ２００ｃｍであり、従来型の空調装置が設置されており送風口の寸法は、１５ｃｍ×１５ｃｍである。また同（ｂ）図には本発明の浴室空調装置が設置されている。送風口の寸法は６ｃｍ×１００ｃｍであり、浴室の幅より２０ｃｍ狭いものである。同（ｃ）図に浴室内の測定した位置に符号を付して示す。測定結果は同（ｄ）図に表記した。従来型と本発明の空調装置の顕著な差は、本発明品が全体に一様な風速分布を示しているのに対して、従来型は一部にしか風速が測定されず、空気の流れの滞留する部分が多く見られる点である。
【実施例４】
【００２４】
図８は換気装置を兼備した浴室空調装置１ｂの構成を断面で示す断面説明図である。送風部分は図４に示したダンパーを備えた構造と同じである。換気ファン２０は函体２１とシロッコファン２２、浴室内の空気を吸込むための吸込口２３、排気口２４で構成される。浴室内を循環させる風量が５００〜８００ｍ３／ｈの場合、排気風量は５０〜２００ｍ３／ｈが好適であり、循環風量／排気風量＝１／４〜１／１０が目安である。排気に伴う外気の採入口は一般的に浴室ドアの下部に設けたガラリ２８から取込み、家屋の設計では洗面所から屋内の空気を取入れる場合が一般的である。
【００２５】
図９は浴室１２を洗濯物２５の乾燥に利用するところを示す斜視説明図である。浴室空調装置１ｂは図８に示した構造である。洗濯物が多い場合はダンパーを作動させて洗濯物に満遍なく送風が当たるようにするとよい。２６は棒であり浴室内に懸架できるようになっていて取外しは自在である。排気に伴う外気の採入れは浴室のドア２７の下方に設けたガラリ２８から屋内の空気を取り込んでいる。送風が幅広の平行気流であり、浴室内の空気が平行気流に沿って対流するので、洗濯物のかける位置を交換しなくともむらのない乾燥を行うことができる。
【実施例５】
【００２６】
図１０は浴室空調装置１ｃを示す斜視図であり、送風部分は図１に示した浴室空調装置であり、その両端部に照明装置３０を函体９ａ内に設けた空調装置である。照明を取り付けたことで既存の浴室照明器具に加えて種々の光源を演出できる。一例として発光ダイオードを複数個配列した上を多面体構造の投光板で覆い、点光源を多点光源化して色調の異なる発光ダイオードを使用すれば瞑想を助長する効果が得られる。出願人は先にこの照明装置を出願している。
【実施例６】
【００２７】
図１１は電気系統図を示しており、浴室の壁面には浴室空調装置１、１ａ、１ｂが取付けられ、同浴室の壁面の適宜箇所に取付けたリモコン（操作盤）とはケーブル４３でそれぞれの制御部が接続されている。図１１（ａ）図の場合は、浴室空調装置の制御部で制御されるスイッチ４４が備えられ、連動出力端子４２に接続される。別置きの換気扇４１の入力端子４５には動力線が接続されており、スイッチ４４でＯＮ、ＯＦＦが行える。この場合は浴室に換気扇が既に取付けられている場合に用いられる。同（ｂ）図では、浴室に新規に本発明の浴室空調装置と換気扇を設置する場合に用いられ、連動出力端子４２には別置きの換気扇が接続され動力は前記浴室空調装置から供給される。本発明の浴室空調装置１ｂを用いる場合は、換気ファン２０が装備されているので特に動力引出線は不要である。リモコン４０の使用例としては、浴室が乾燥、涼風、換気等の場合はスイッチがＯＮの状態であり、暖房の場合はスイッチがＯＦＦの状態で使用される。
【産業上の利用可能性】
【００２８】
本発明の浴室空調装置内部のファン幅を変更することで様々な大きさの浴室に対してほぼ同じ効果を発揮することができる。
【図面の簡単な説明】
【００２９】
【図１】本発明の浴室空調装置を一部断面で示す斜視図である。（実施例１）
【図２】浴室空調装置の一例を示す断面説明図である。（実施例１）
【図３】本発明の浴室空調装置による気流を示す斜視説明図である。（実施例１）
【図４】本発明の浴室空調装置の別の実施態様を示す断面説明図である。（実施例２）
【図５】ダンパーの作動状態を示す断面説明図である。（実施例２）
【図６】ダンパーを作動させたときの気流を示す斜視説明図である。（実施例２）
【図７】浴室内の各箇所の風速測定のため（ａ）図は浴室に従来の送風機を使用した場合を示し、（ｂ）図は本発明の浴室空調装置を使用した場合を示す斜視模式図であり、（ｃ）図は浴室内の測定位置を示し、（ｄ）図は風速測定結果を記載した表である。（実施例３）
【図８】換気装置を一体に設けた別の実施態様の浴室空調装置を示す断面説明図である。（実施例４）
【図９】図８の浴室空調装置を用いて洗濯物を乾燥させるときの気流の状況を示す斜視説明図である。（実施例４）
【図１０】照明を備えた本発明の浴室空調装置の斜視図である。（実施例５）
【図１１】本発明の浴室空調装置の結線図であり、（ａ）図は既存の換気扇を利用する場合を示し、（ｂ）図は新規に浴室空調装置を設置する場合の結線図を示す説明図である。（実施例６）
【符号の説明】
【００３０】
１    浴室空調装置
２    貫流ファン
３    羽根車
４    ファンカバー
５    スタビライザー
９    函体
10    送風口
11    吸込口
12    浴室
13    平行気流
14    浴槽
17    ダンパー
20    換気ファン
22    シロッコファン
31    電熱ヒータ
【図１】
2006194521.tif 000003
【図２】
2006194521.tif 000004
【図３】
2006194521.tif 000005
【図４】
2006194521.tif 000006
【図５】
2006194521.tif 000007
【図６】
2006194521.tif 000008
【図７】
2006194521.tif 000009
【図８】
2006194521.tif 000010
【図９】
2006194521.tif 000011
【図１０】
2006194521.tif 000012
【図１１】
2006194521.tif 000013